(57)【特許請求の範囲】
【請求項１】
容器蓋本体と、該容器蓋本体の上面を覆う閉位置と該容器蓋本体の上面を露呈せしめる開位置との間を旋回自在に該容器蓋本体に接続された上蓋とを具備し、該上蓋は円形天面壁及び該天面壁の外周縁から垂下する円筒形スカート壁を有し、該スカート壁の外周面には半径方向外方に突出する鍔片が配設されている合成樹脂製容器蓋において、
該鍔片の半径方向突出長さは、周方向中央領域においては周方向中心から周方向両側に向かって漸次増大せしめられていて、周方向中央領域において該鍔片の外周面は湾曲凹状をなし、周方向両側領域においては周方向両側に向かって漸次減少せしめられていて、周方向両側領域においては該鍔片の外周面は弧状をなして該スカート壁の外周面に接続されており、
該鍔片の下面には少なくとも周方向中央領域の半径方向外側縁に沿って延在するリブが形成されており、該リブの外周面は横断面図において下方に向かって半径方向内側に円弧状に延びており、該鍔片の外周面下端は該リブの外周面に円滑に連なる、
ことを特徴とする合成樹脂製容器蓋。
【請求項２】
該鍔片の外周面は、少なくとも周方向中央領域において下方に向かって半径方向内側に傾斜して延びている、請求項１記載の合成樹脂製容器蓋。
【発明の詳細な説明】
【技術分野】
【０００１】
本発明は、容器の口頸部に装着される容器蓋本体とこの容器蓋本体に閉位置と開位置との間を旋回自在に接続された上蓋を具備し、上蓋の円筒形スカート壁の外周面には弧状鍔片が配設されている合成樹脂製容器蓋に関する。
【背景技術】
【０００２】
液体調味料等を収容した容器のための蓋として、下記特許文献１及び２に開示されている如く、容器の口頸部に装着される容器蓋本体と、容器蓋本体の上面を覆う閉位置と容器蓋本体の上面を露呈せしめる開位置との間を旋回自在に容器蓋本体に接続された上蓋とを具備する合成樹脂製容器蓋が広く実用に供されている。上蓋は円形天面壁とこの天面壁の外周縁から垂下する円筒形スカート壁とを有し、スカート壁の外周面には上蓋を開閉動、特に閉位置から開位置に旋回動する際に指を掛けるための弧状鍔片が配設されている。
【先行技術文献】
【特許文献】
【０００３】
【特許文献１】特開２００７−３０２２９１号公報
【特許文献２】特開２０１０−０５２７７３号公報
【発明の概要】
【発明が解決しようとする課題】
【０００４】
而して、本発明者等の知見によれば、上述した形態の従来の合成樹脂製容器蓋には、閉位置に位置せしめられている上蓋の鍔片、特にその外周面に指を掛けて上蓋を開方向に強制する際に、鍔片が指に食い込み、指に痛みを感じることが少なくない、という問題が存在する。
【０００５】
本発明は上記事実に鑑みてなされたものであり、その主たる技術的課題は、鍔片の形態に改良を加えて、閉位置に位置せしめられている鍔片に指を掛けて上蓋を開方向に強制する際に指に痛みを感じることが回避乃至緩和されるようになすことである。
【課題を解決するための手段】
【０００６】
本発明者等は、鋭意検討の結果、鍔片の半径方向突出長さは、周方向中央領域においては周方向中心から周方向両側に向かって漸次増大せしめられていて、周方向中央領域において鍔片の外周面は湾曲凹状をなし、周方向両側領域においては周方向両側に向かって漸次減少せしめられていて、周方向両側領域においては鍔片の外周面は弧状をなしてスカート壁の外周面に接続されており、そしてまた鍔片の下面には少なくとも周方向中央部領域の半径方向外側縁に沿って延在するリブが形成されており、リブの外周面は横断面図において下方に向かって半径方向内側に円弧状に延びており、鍔片の外周面下端はリブの外周面に円滑に連なる形態にすることによって、上記主たる技術的課題を解決することができることを見出した。
【０００７】
即ち、本発明によれば、上記主たる技術的課題を達成する合成樹脂製容器蓋として、容器蓋本体と、該容器蓋本体の上面を覆う閉位置と該容器蓋本体の上面を露呈せしめる開位置との間を旋回自在に該容器蓋本体に接続された上蓋とを具備し、該上蓋は円形天面壁及び該天面壁の外周縁から垂下する円筒形スカート壁を有し、該スカート壁の外周面には半径方向外方に突出する鍔片が配設されている合成樹脂製容器蓋において、
該鍔片の半径方向突出長さは、周方向中央領域においては周方向中心から周方向両側に向かって漸次増大せしめられていて、周方向中央領域において該鍔片の外周面は湾曲凹状をなし、周方向両側領域においては周方向両側に向かって漸次減少せしめられていて、周方向両側領域においては該鍔片の外周面は弧状をなして該スカート壁の外周面に接続されており、
該鍔片の下面には少なくとも周方向中央領域の半径方向外側縁に沿って延在するリブが形成されており、該リブの外周面は横断面図において下方に向かって半径方向内側に円弧状に延びており、該鍔片の外周面下端は該リブの外周面に円滑に連なる、
ことを特徴とする合成樹脂製容器蓋が提供される。
【０００８】
好ましくは、該鍔片の外周面は、少なくとも周方向中央領域において下方に向かって半径方向内側に傾斜して延びている。
【発明の効果】
【０００９】
本発明の合成樹脂製容器蓋においては、周方向中央領域においては湾曲凹状をなす鍔片の外周面に、例えば親指の腹部を当接せしめると、親指の腹部の特定局部に鍔片が食い込むといった事態が発生することがなく、親指の腹部が鍔片の外周面に円滑に馴染み、そしてまた少なくとも周方向中央領域において鍔片の外周面下端はリブの外周面に円滑に連なる故に、鍔片の外周面と下面との境界領域においても親指の腹部の特定局部に鍔片が食い込むといった事態が発生することがなく、従って親指に力を加えて上蓋を開方向に強制しても痛みを感じることが回避乃至緩和される。
【図面の簡単な説明】
【００１０】
【図１】本発明に従って構成された合成樹脂製容器蓋の好適実施形態を、成形型内で成形した状態で示す断面図。
【図２】図1の容器蓋における上蓋の正面図。
【図３】図1の容器蓋における上蓋の側面図。
【図４】図1の容器蓋における上蓋の平面図。
【図５】図1の容器蓋における上蓋の底面図。
【図６】図1の容器蓋の一部を、上蓋を閉位置にせしめた状態で示す断面図。
【図７】鍔片の変形例を示す部分断面図。
【発明を実施するための形態】
【００１１】
図1を参照して説明すると、その全体をポリエチレン或いはポリプロピレンの如き適宜の合成樹脂から一体に射出成形することができる、本発明に従って構成された全体を番号２で示す容器蓋は、容器蓋本体４と上蓋６とを具備している。
【００１２】
容器蓋本体４は略円板形態である主壁８を有する。この主壁８には環状に延在する破断可能ライン１０が形成されている。破断可能ライン１０は厚さを局部的に低減せしめた所謂スコアから構成することができる。破断可能ライン１０によって規定された除去領域の片側部には上方に延びる連結柱１２が形成され、この連結柱１２の上端にはリング１４が連結されている。主壁８の上面周縁部には上方に向かって半径方向外方に傾斜して延びる環状係止突条１６が形成されている。この環状係止突条１６の外周面には環状係止溝１８が形成されている。主壁８の上面には、更に、環状係止突条１６と破断可能ライン１０との間において上方に突出する案内筒２０も形成されている。主壁８には、その外周縁から垂下する外側筒壁２２と共に、主壁８の下面から垂下する筒状密封突出片２４も配設されている。外側筒壁２２の内周面には環状係止突条２６が形成されている。
【００１３】
上蓋６は円形天面壁２８とこの天面壁２８の外周縁から垂下する（図１においては上蓋６は天面壁２８の外面を下方に向けた倒立状態で図示されている）円筒形スカート壁３０とを有する。周方向特定部位において、スカート壁３０の下端は接続ヒンジ手段３２を介して容器蓋本体４の外側筒壁２２の上端部に接続されている。天面壁２８の内面には円筒形状の垂下密封筒３４が形成されている。スカート壁３０の内周面下部には環状係止突条３６が形成されている。更に、上記接続ヒンジ手段３２の直径方向反対側において、スカート壁３０の外周面下端部には半径方向外方に突出する鍔片３８（かかる鍔片３８については後に更に詳述する）。上記連結柱１２は上記除去領域における接続ヒンジ手段３２側の上面で且つ破断可能ライン１０の近傍に配置されている。
【００１４】
図１と共に図６を参照して説明を続けると、上述したとおりの容器蓋２は図６に一部を二点鎖線で図示している口頸部４０を供えた容器に適用される（図６においては、容器蓋２と口頸部４０とを単純に重ね合わせた状態で図示している）。ポリエチレンテレフタレートの如き適宜の合成樹脂或いはガラスから形成することができる容器は、上端面が開放された円筒形状の口頸部４０を備えており、この口頸部４０の外周面上端部には環状係止あご部４２が形成されている。容器蓋２はその容器蓋本体４が口頸部４０に被嵌される。更に詳細には、容器蓋本体４の外側筒壁２２と密封突出片２４との間に口頸部４０が挿入され、外側筒壁２２の環状係止突条２６が口頸部４０の係止あご部４２に係止せしめられ、密封突出片２４が口頸部４０の内周面に密封せしめられ、かくして口頸部４０が密封される。上蓋６は、図６に図示する閉位置に位置せしめられて容器蓋本体４の上面を覆う。上蓋６が閉位置に位置せしめられると、上蓋６の内周面に形成されている環状係止突条３６が容器蓋本体４の係止溝１８に係止せしめられる。
【００１５】
液体調味料の如き容器の内容物を消費する際には、鍔片３８に指をかけて上蓋６を開位置（例えば図１に実線で図示する位置から２０乃至３０度閉位置に向けて変位した位置）に旋回せしめて、容器蓋本体４の上面を露呈せしめる。次いで、リング１４に指を掛けて引っ張って破断可能ライン１０を破断し、除去領域を離脱せしめ、容器蓋本体４の主壁８に排出開口を生成する。しかる後においては、容器を傾動せしめて案内筒２０を通して内容物を排出することができる。
【００１６】
而して、図示の容器蓋２における上述したとおりの構成及び作用は、本発明に従って構成された容器蓋２の新規な特徴を構成するものではなく、それ自体は周知の形態でよく、それ故にこれらについての詳細な説明は本明細書においては省略する。
【００１７】
図１乃至図６を参照して説明を続けると、本発明に従って構成された容器蓋２の鍔片３８においては、番号４６で示す周方向中央領域において、鍔片３８の半径方向突出長さは周方向中心から周方向両側に向かって漸次増大せしめられていて、鍔片３８の外周面４４は湾曲凹状をなしている。一方、周方向両側領域４８においては、鍔片３８の半径方向突出長さは周方向両側に向かって漸次減少せしめられていて、鍔片３８の外周面４４は弧状をなしてスカート壁３０の外周面に接続されている。
【００１８】
図示の実施形態においては、鍔片３８の外周面４４は実質上鉛直に延在せしめられている。所望ならば、図７に図示する如く、鍔片３８の外周面４４を下方に向かって半径方向内方に傾斜せしめることもできる。これに代えて、鍔片３８の外周面４４を下方に向かって半径方向外方に傾斜せしめることもできる。鍔片３８の上面４９は半径方向外方に向かって下方に傾斜せしめられており、鍔片３８の下面５０は実質上水平に延在せしめられている。
【００１９】
鍔片３８の下面５０の少なくとも周方向中央領域には、鍔片３８の半径方向外側縁に沿って延在するリブ５２が形成されている。図示の実施形態においては、リブ５２は番号５４で示す周方向中央領域において鍔片３８の半径方向外側縁に沿って延在せしめられている。図６及び図７に図示する如く、リブ５２の外周面は横断面図において下方に向かって半径方向内側に円弧状に延びていて、鍔片３８の外周面下端はリブ５２の外周面に円滑に連なる。リブ５２の内周面も横断面図において下方に向って半径方向外側に円弧状に延びていて、リブ５２の横断面形状は略半円形であるのが好都合である。
【００２０】
上記のとおりの形態の鍔片３８を備えた容器蓋２においては、上蓋６を閉位置から開位置に回動せしめる際には、図６に二点鎖線で示す如く、鍔片３８の外周面４４に例えば親指の腹部５６を当接せしめて上蓋６を開方向に強制することができる。鍔片３８の外周面４４が、周方向中央領域４６において湾曲凹状であり、そしてまた鍔片３８の外周面下端はリブ５２の外周面に円滑に連なっているので、親指の腹部５６の特定部位に鍔片３８が食い込むことがなく、親指の腹部５６が鍔片３８の外周面４４に円滑に馴染み、それ故に親指の腹部５６に痛みを感じることが回避乃至充分に緩和される。
【符号の説明】
【００２１】
２：容器蓋
４：容器蓋本体
６：上蓋
２８：上蓋の天面壁
３０：上蓋のスカート壁
３８：鍔片
４４：鍔片の外周面
５０：鍔片の下面
５２：リブ
【図１】
0005650451.tif 000002
【図２】
0005650451.tif 000003
【図３】
0005650451.tif 000004
【図４】
0005650451.tif 000005
【図５】
0005650451.tif 000006
【図６】
0005650451.tif 000007
【図７】
0005650451.tif 000008